Podtech/llm-jp-corpus-v4-ja_patent huggingface dataset:
(57)【要約】【課題】  冬場暖房を切る夜間、室内で飼うペットを保温するのが課題である。【解決手段】  蓄熱材を熱源として使用し、充熱後は保温効率の良い樹脂により形成し、内面を金属コーティング又は金属箔を張付けた、保温器内部に固定する事で、一定の温度を一定時間持続させるものである。【選択図】  図１
2005198637.tif 000002
【特許請求の範囲】
【請求項１】
保温効率の良い樹脂により形成した保温器２の内部を、金属箔９を張付け又は金属コーティングした上に、ヒーター６内蔵の蓄熱材を充填した容器５を固定し、その上に保温効率の良い樹脂による蓋１０をし、更に保温効果の有る布４を置いてなる、ペット用保温器。
【請求項２】
蓄熱材容器５に内蔵せるヒーター６を、着脱自在の電源コードにより通電加熱し、蓄熱材を充熱完了後電源コードを外し、その電源部７をキャップ３をしコードレスとして使用する、ペット用保温器。
【発明の詳細な説明】
【技術分野】
【０００１】  近年マンション等室内でペットを飼うことが多くなり、それらのペットが夜間暖房を切ってからの寝床用として、一定温度を一定時間保温可能なペット用保温器に関する。
【背景技術】
【０００２】  本発明は特願２０００−１３１８１８「ペット用あんか」の改良に関するもので、先願のものは、冬場ペットの寝床の暖房用に、あんかを利用する人が多く、電気あんかには電源コードが付いており、特にペットが犬の場合コードを囓るので危険である、このコードに予防対策をしたもの、及び蓄熱材によりコードレスとした出願であるが、この時には充分な蓄熱材によるテストが出来なかった。【０００３】  本発明のものは、コードレスタイプにすることで、犬等が囓る対象を無くすと共に、テストを重ねることで一定の温度で、一定の時間連続保温を可能としたものである。
【発明の開示】
【発明が解決しょうとする課題】
【０００４】  本発明が解決しょうとする課題は、布団内のように充分保温出来る条件では無く、夜間暖房の無い室内で４０℃以上の温度で、少なくとも８時間以上保温しょうとするものである。
【課題を解決するための手段】
【０００５】  この課題を解決する手段として、充熱後の蓄熱材を入れる容器を、充分保温効果の有るものとし、使用する蓄熱材も前記の条件を満足するものを使用するものである。
【発明の効果】
【０００６】  発明の効果としては、ペットが犬等の場合であっても、囓ると危険な対象物を無くしたもので、コードレスでしかも４０℃以上の温度を、８時間以上持続保温を可能にしたものである。
【発明を実施するための最良の形態】
【０００７】  蓄熱材のように充熱後にコードレスで使用するものは、充熱後の蓄熱材を保温効果の有る布等でくるむか、あんかのように、保温効果の高い布団の中で使用するのが効果的であるが、本発明の場合は、冬場暖房の無い夜間の室内と言う悪い条件であるが、ペットの就寝時間を、４０℃以上の保温を持続することを目的にした。
【実施例】
【０００８】  図によりその実施例を説明すれば、図３は図示せるものは今回のテスト記録であって、このテストに使用した蓄熱材は、融点７０℃〜７１．５℃のステアリン酸を、図２に図示せるヒーター６を内蔵せる容器５に、重量４７０ｇ、厚さ１１を２ｃｍ入れて使用した、この容器５は保温効率の良い樹脂よりなる保温器２に固定し、容器５と保温器２の接触箇所に、金属コーティング又は金属箔９を張付け、容器５の上部は、保温効率の良い樹脂による蓋１０をしたもので、蓄熱材容器５内部のヒーター６の電源接続部７には、キャップ３をした構成のものである。【０００９】  テストは暖房を切る夜間に実施した、室温は１１℃〜１３℃、湿度は３５％〜４０％、テスト室の観察には監視カメラを使用し、テストのペットには子犬１を使用した。【００１０】  図２に図示せるものは、本発明の保温器２の断面図で、蓄熱材はヒーター６内蔵の耐熱容器５に入れ、これを保温効率の良い樹脂により形成した保温器２の、内面を金属コーティング又は、金属箔９を張付けた上に固定する、容器５の上には保温効率の良い樹脂よりなる蓋１０をしたもので、蓄熱材を充熱する時は、電源接続部７に電源コードを接続し、内蔵ヒーター６を加熱することで、効率良く蓄熱材を充熱液状化させる、この充熱完了は予めセットされたタイマーにより通知する、充熱後は電源コードを外し、その後に栓３をしコードレスとして使用するものである。【００１１】  図１はペットの子犬１によりテスト中を示す図で、蓋１０の上に保温布４を置いて使用する、ペット１はこの布４の上に乗ることになる、温度検出センサーは布４の内部にセットし３０分おきに記録した、又この様子は監視カメラにより観察した。【００１２】  図３のグラフ上の１２は、子犬１が保温器２内に入った時で、子犬１の体温が影響したのか、保温温度が少し上昇した。
又１３は子犬１が保温器２内から出た時で、蓄熱材の保温温度が低下し始めた時に、子犬１の体温が無くなり急激に温度の低下が見られた。【００１３】  今回テストでは４０℃以上の温度を８時間持続することが出来た、子犬１は室温が低いので直ぐに保温器２に乗り、短時間に睡眠に入り、朝寝覚めてもすぐに保温器２から出ないで、しばらくして室内暖房が入り保温器２から出た。
今回のテストペットは子犬１であったが、ペットが猫であればより効果が有ると考えられる。
【産業上の利用可能性】
【００１４】  使用時はコードレスとし、安心して使用可能であり、一応４０℃以上の温度を８時間持続したので、充分実用的であったが、この温度をより高くするには、蓄熱材の厚み１１を増やせば良く、保温時間を延ばすには蓄熱材の使用量を増加すれば良い。
【図面の簡単な説明】
【００１５】
【図１】  本発明の保温器内で眠る子犬を示すものである
【図２】  保温器の断面図を示すものである
【図３】  子犬による保温器の温度変化を示すグラフである。
【符号の説明】
【００１６】  １  子犬
２  保温器
３  電源コード接続部キャップ
４  保温用布
５  蓄熱材容器
６  ヒーター
７  電源コード接続部
８  ヒーター保持部
９  金属箔
１０  保温蓋
１１  使用蓄熱材の厚み
１２  子犬が保温器に入るた時
１３  子犬が保温器から出た時
【図１】
2005198637.tif 000003
【図２】
2005198637.tif 000004
【図３】
2005198637.tif 000005
(57)【要約】【課題】  見た目を豪華な感じにでき、しかも、鱒の味を強調しやすい鱒の寿司の提供。【解決手段】鱒の切身ですし飯の全面を覆ってあることを特徴とする鱒の寿司。【選択図】      図１
2005198620.tif 000002
【特許請求の範囲】
【請求項１】
鱒の切身（３）ですし飯（２）の全面を覆ってあることを特徴とする鱒の寿司。
【発明の詳細な説明】
【技術分野】
【０００１】
本発明は、富山県名産として知られている鱒の寿司に関する。
【背景技術】
【０００２】
一般的な鱒の寿司は、すし飯の表面を鱒の切身で覆った円盤形状の押し寿司である。
【発明の開示】
【発明が解決しようとする課題】
【０００３】
ところが、上述した鱒の寿司は、裏面や厚み面にすし飯が見えるため、見た目が貧弱であった。また、鱒の切身が載っている箇所は、すし飯の表面だけなので、すし飯の味が強調されやすくなり、鱒による濃厚な味が足りないと感じる人もいる。
【０００４】
本発明は上記実情を考慮して創作されたもので、見た目を豪華な感じにでき、しかも、鱒の味を強調しやすい鱒の寿司を提供することを目的とする。
【課題を解決するための手段】
【０００５】
本発明は、鱒の切身ですし飯の全面、即ち、表面は勿論、裏面、さらには厚み面を覆ってあることを特徴とする鱒の寿司である。
【発明の効果】
【０００６】
本発明は、鱒の切身ですし飯の全面を覆ってあるので、見た目が豪華となり、贈答品としての価値も上がる。また、鱒の切身ですし飯の全面を覆ってあるので、切り分けた時にその切断面には、桃色がかったオレンジ色の鱒の切身が白色のすし飯の表面、厚み面外側、裏面を連続して包んだ美しい形態が現れることになり、皿に盛った時の美観が向上する。さらに、鱒の切身ですし飯の全面を覆ってあるので、食べた時には、鱒の旨味が口中一杯に広がり、その鱒の旨味をすし飯が引き立てる役割を果たして、なんとも言えない満足感が得られる。
【発明を実施するための最良の形態】
【０００７】
本発明の鱒の寿司１は図１に示すように、厚みのあるすし飯２の全面、即ち表面、裏面だけでなく、その周面（厚み面）をも鱒の切身３で覆い、鱒の切身３の外側を笹の葉４で包んだものである。
【０００８】
その作り方は、まず、円形の浅い容器に笹の葉を容器からはみ出す状態で敷き詰め、容器内の笹の葉の上に円形の鱒の切身３を載せる（図示省略）。続いて、図２に示すように鱒の切身３の周縁部よりも内側にすし飯２を載せる。つまり、直径で言えば鱒の切身３よりもすし飯２を小さくする。次に、すし飯２の上に一回り大きな別の鱒の切身３を載せ、上下の鱒の切身３の周縁部を折り曲げて、円盤形となるすし飯２の厚み面を覆うことによって、すし飯２の全面が鱒の切身３で完全に覆われる。最後に、容器からはみ出した笹の葉を折り返して上側の鱒の切身３を包み、上から蓋をし、最後に蓋と容器の底に、各々二本の竹の棒を配置し、容器の外側にはみ出す上下の竹の棒の両端部をゴムバンドで挟んで、蓋を押し付けた状態とする（図示省略）。
【０００９】
鱒の寿司１を切り分けると図１に示すように、すし飯２の表面、周面、裏面が鱒の切身３でコ字状に連続して包まれていることが、目視できる。なお、鱒の切身３は、通常通り、酢で洗って殺菌し、調味料で味付けしたものを使用する。
【図面の簡単な説明】
【００１０】
【図１】本発明の鱒の寿司を表す斜視図である。
【図２】本発明の鱒の寿司の作り方の要部を示す工程図である。
【符号の説明】
【００１１】
１  鱒の寿司
２  すし飯
３  鱒の切身
４  笹の葉
【図１】
2005198620.tif 000003
【図２】
2005198620.tif 000004
(57)【要約】【課題】本発明は、環境及び人体に対し安全に、カラスや野良猫などの害鳥獣の接近を防ぎ、簡易に忌避剤及び、それを含有または付着する形成体を提供する。【解決手段】銅等、電解金属イオン水を主成分とする鳥獣忌避剤から構成される。さらにその忌避剤を含有、または付着させた各種形成体より構成される。【特許請求の範囲】
【請求項１】
電解金属イオン水による鳥獣類忌避剤。
【請求項２】
電解金属イオン水に、他の防虫剤・殺菌剤・防カビ剤・香料・着色料等を共に処方した鳥獣類忌避剤。
【請求項３】
請求項１、請求項２に記載の忌避剤組成物を、噴射用圧縮ガスと共に、噴射ノズル及びバルブ付スプレー用容器に封入したスプレー剤の形状である請求項１、請求項２に記載の忌避剤組成物。
【請求項４】
銅イオン等金属イオンを含有する形成体により、鳥獣類の忌避を目的とするネット・ゴミ袋・ゴミ収容器材。
【発明の詳細な説明】
【発明の詳細な説明】
【技術分野】
【０００１】  本発明は、農作物や廃棄食物に接近し、金銭的・環境的に損害を与えるカラス・ヒヨドリ・ムクドリ等害鳥及び、ネコ・ネズミ・モグラ等を平和的に撃退させるのに有効な、忌避剤及び忌避器具に関するものである。
【背景技術】
【０００２】  カラス・ネコによる生ゴミの食い荒らしなど、鳥獣害が社会問題として注目されるようになってきた。従来の方法では、それらの駆除に対して動物愛護の観点やその効果の持続性・環境に対する安全性を考慮すれば、その欠点が多すぎると考えざるを得ない。【０００３】  本発明の銅イオン等の金属イオンの物質の殺菌・抗菌力は公知ではあるが、鳥獣に対し忌避活性がある事は知られていなかった。
【発明が解決しようとする課題】
【０００４】  カラスや野良猫が廃棄食物を荒らすことや、果樹等農作物を荒らすことは周知の事実である。その結果、衛生的に問題が生じている。また、農作物の食い荒らしでは、ほぼ全ての農家が被害を被っている。しかしながら、現在行われている駆除方法は、経験的な方法が多く鳥獣の学習能力が勝り、効果が継続されなかった。
【０００５】  本発明は、鳥獣が生理的に忌避活性を起こす銅イオン等、金属イオンによって、動物愛護の観点からも平和的な鳥獣忌避手段である。
安全性が高く環境にもやさしい、鳥獣類の忌避剤、及びそれを含有する形成体である。
【課題を解決する手段】
【０００６】  食品添加物として、ＷＨＯの勧告により粉ミルクに添加されている銅イオン等、金属イオンの電解水を使用し鳥獣類忌避剤とする。
【０００７】  銅イオン等電解金属イオン水に、他の防虫剤、殺菌剤、防カビ剤、香料、着色料などと共に処方し鳥獣類忌避剤とする。
【０００８】  銅イオン等金属イオンの溶液を対象害鳥獣に対応した希釈率により、噴射用圧縮ガスと共に噴射ノズル及びバブル付スプレー式容器に封入し、スプレー剤の形状とする。
【発明を実施するための最良の形態】
【０００９】  以下、本発明の形態を説明するが、本発明はこれらの実施例に限定されるものではない。
（イ）  銅を筆頭とする電解金属イオン水であり、酸性でも可ではあるが、中性を示すものが好ましい。
（ロ）  （イ）電解金属イオン水に、殺菌剤・防カビ剤・香料等を共に処方する。ヒノキチオール、エタノール、メタノール、酢酸、木・竹酢など天然物が好ましい。
（ハ）  （イ）、（ロ）電解金属イオンを含有するゴミ袋容器等形成体。
（ニ）  （イ）、（ロ）電解金属イオンを噴霧等により含有させた紙・不織布等により、害鳥獣を忌避する形成体。
【発明の効果】
【００１０】  本発明の忌避剤は、溶液にて対象物に散布したり、合成樹脂・紙材・不織布に含有、もしくは表面に付着させ、カラスやネコ等の害鳥獣類に対し忌避性を付与する事が出来る。
銅イオン等安全性の高い金属イオンを主成分とする事から、環境や人体にも安心して使用する事が出来る。
(57)【要約】【課題】犬類の糞を直視し、糞を掴んで処理する時の嫌な感触や、衛生的にもよくないという問題点を解決したい。【解決手段】本手段は、糞の表面全体を即乾性の強い樹脂等で覆い、固める事が出来るスプレーで、糞の臭いをなくす。また、糞を直視することなく、簡単に糞を処理する事が出来る。衛生的にも良い。【特許請求の範囲】
【請求項１】
犬類の糞の表面全体を即乾性の強い樹脂等で覆い、固めるスプレー。
【請求項２】
犬類の糞の表面全体を即乾性の強い樹脂等で覆い、固める事により嫌な臭いを防ぐ事が出来る。
【請求項３】
犬類の糞の表面全体を即乾性の強い樹脂等で覆い、固めて簡単に処理する方法。
【請求項４】
犬類の糞の表面全体を即乾性の強い樹脂等で覆い、固めて処理するので衛生的。
【発明の詳細な説明】
【技術分野】
【０００１】本発明はペット関連商品または、トイレ掃除用品に関する。
【背景技術】
【０００２】犬類の臭い糞を直視し、苦手と感じながら糞の処理をしている。
【発明の開示】
【発明が解決しようとする課題】
【０００３】昨今、マナーの悪いペットの飼い主が目立ちます。
糞を放置する人も多く、他人の飼っている犬類が家の前で糞をして困っている。
また、飼い主として責任を果たしているが、もっと簡単に処理したい。【０００４】糞を掴んで処理する時の嫌な感触、また衛生的にもよくない。【０００５】本発明は、このような問題点が解決できる。
【課題を解決する為の手段】
【０００６】本手段は、糞の表面全体に即乾性の強い樹脂等で覆い、固める事が出来るスプレーを使用して、簡単に糞の処理ができる。また、衛生的である。
【発明の効果】
【０００７】本手段は、糞の表面全体を即乾性の強い樹脂等で覆い、固める事で嫌な臭いをなくす事が出来る。
【０００８】本手段は、簡単に糞の処理が出来る。また、衛生的である。
【発明を実施する為の最良の形態】
【０００９】密閉した容器に液化ガスと原液等を混合させて噴射するスプレータイプ。
【００１０】原液は即乾性の強い樹脂等を用いる。
【００１１】液化ガスはＬＰＧ等を用いる。
【００１２】混合物として、炭酸マグネシウム等の粉末剤、及びエタノール等を用いる。
(57)【要約】      （修正有）【課題】犬の散歩時に、手首を痛めるこれを防止する犬の散歩用引き紐を提供する。【解決手段】引き紐１にリング２を取り付ける事で、引っ張れば犬の身体を紐が締め付けるため犬は引くのを止める、そのため手首に負担が掛からないことを特徴とする犬の散歩用引き紐である。【選択図】図１
2005198629.tif 000002
【特許請求の範囲】
【請求項１】
散歩時に犬が激しく引っ張るのを緩和することを特徴とする犬の散歩用引き紐。
【発明の詳細な説明】
【発明の詳細な説明】
【技術分野】
【０００１】  この発明は、ペット犬の散歩時に手首を痛めるのを防止する引き紐に関するものである。
【背景技術】
【０００２】  従来よりこの目的に該当するものは有るが、クションが巻かれているだけで、犬の引っ張りを弱くするものでは無い。
【発明が解決しようとする課題】
【０００３】  ペットとして飼われている中型犬及び大型犬の散歩時に次のような危険があった、犬の散歩は激しく引っ張る機会が多く、飼主の手首を痛めるまた、転倒や衝突の危険がある。本発明はこの欠点を解決するために発明されたものである。
【課題を解決するための手段】
【０００４】  散歩用引き紐（１）に、固定のリング（２）を装着し、引き紐を犬の身体に巻きつける、犬が強く引くと身体を締め付ける、本発明は以上のような散歩時の犬の引っ張りを緩和し、転倒や衝突の危険と手首痛める事を防止する散歩用引き紐である。
【発明を実施するための最良の形態】
【０００５】  以下、本発明の実施の形態について説明する
従来からある引き紐に、リングを取り付け犬の身体に紐を回しリングに通す。本発明は以上の構造で、これを使用するときは、従来の引き紐使用時より極端に犬は引っ張らなくなる。
【発明の効果】
【０００６】  犬の散歩時に突然引っ張り、手首を痛める事があったが、この不快感をなくす事が出きる。
【図面の簡単な説明】
【図１】    本発明の図
【図２】    本発明の使用方法を示す斜視図
【図３】    本発明の使用状態を示す斜視図
【図４】    本発明の使用手順図
【符号の説明】
１引き紐
２リング
３スナップ
４首輪
【図１】
2005198629.tif 000003
【図２】
2005198629.tif 000004
【図３】
2005198629.tif 000005
【図４】
2005198629.tif 000006
【図５】
2005198629.tif 000007
【手続補正書】
【提出日】平成16年4月19日(2004.4.19)
【手続補正３】
【補正対象書類名】明細書
【補正対象項目名】全文
【補正方法】変更
【補正の内容】
【発明の詳細な説明】
【技術分野】
【０００１】  この発明は、ペット犬の散歩時に手首を痛めるのを防止する引き紐に関するものである。
【背景技術】
【０００２】  従来よりこの目的に該当するものは有るが、クションが巻かれているだけで、犬の引っ張りを弱くするものでは無い。
【発明が解決しようとする課題】
【０００３】  ペットとして飼われている中型犬及び大型犬の散歩時に次のような危険があった、犬の散歩は激しく引っ張る機会が多く、飼主の手首を痛めるまた、転倒や衝突の危険がある。本発明はこの欠点を解決するために発明されたものである。
【課題を解決するための手段】
【０００４】  散歩用引き紐（１）に、固定のリング（２）を装着し、引き紐を犬の身体に巻きつける、犬が強く引くと身体を締め付ける、本発明は以上のような散歩時の犬の引っ張りを緩和し、転倒や衝突の危険と手首痛める事を防止する散歩用引き紐である。
【発明を実施するための最良の形態】
【０００５】  以下、本発明の実施の形態について説明する従来からある引き紐に、リングを取り付け犬の身体に紐を回しリングに通す。本発明は以上の構造で、これを使用するときは、従来の引き紐使用時より極端に犬は引っ張らなくなる。
【発明の効果】
【０００６】  犬の散歩時に突然引っ張り、手首を痛める事があったが、この不快感をなくす事が出きる。
【図面の簡単な説明】
【０００７】
【図１】本発明の平面図
【図２】本発明の使用方法を示す斜視図
【図３】本発明の使用状態を示す斜視図
【図４】本発明の使用手順図
【図５】本発明の使用図
【符号の説明】
【０００９】        １  引き紐        ２  リング        ３  スナップ        ４  首輪
(57)【要約】【課題】  豚肉という健康志向を取り入れた豚生姜焼をベースとするライト感覚の豚生姜焼丼（トン丼）の提供。【解決手段】  ご飯２を丼などの容器１に盛ると同時に、ご飯２の中央部を軽く窪ませ、そこに生卵黄３を入れる。豚薄切り肉、醤油、生姜、ニンニク、日本酒等によって炒めた豚肉生姜焼４を、生卵黄３を避けてご飯２の上に放射状に配置する。豚肉生姜焼４の上に、練からし５を少量乗せ、きざみ長葱６を散らす。最後に、豚肉を炒めた時の肉汁又は醤油７を少量垂らす。【選択図】  図１
2005198627.tif 000002
【特許請求の範囲】
【請求項１】
丼などの容器にご飯を盛り、中央を軽く窪ませたところに生卵黄を乗せ、その上に豚生姜焼を複数枚並べた上にきざみ長葱、練からしをトッピングし、適時醤油等の調味料を振りかけることを特徴とする豚生姜焼丼（トン丼）。
【発明の詳細な説明】
【技術分野】
【０００１】  この発明は、丼などの容器に盛ったご飯の上に豚生姜焼を複数枚並べた丼ご飯に関するものである。
【背景技術】
【０００２】  これまで肉を使った丼ものメニューには、牛丼、カツ丼などがあったが、比較的安価な豚肉を使って肉を食べたという満足感を得られるものは少なかった。又、豚肉生姜焼は、豚肉を使った定食の定番メニューの一つであるにも関わらず手軽さの面から丼ものを中心とするファストフード店での取り扱いは少なかった。更に、豚の角煮などでも明らかなように豚肉と練からしとのマッチングは絶妙であるにも関わらず、これらを組み合わせた豚肉レシピも考案されてはいなかった。
【発明が解消しようとする課題】
【０００３】  本発明における課題は、上記のような欠点を無くし、ご飯と豚生姜焼とこれを引き立てる生卵及び調味料とによって、豚肉という健康志向を取り入れたライト感覚の丼レシピを提供しようとするものである。
【課題を解決するための手段】
【０００４】  請求項１記載の発明は、丼などの容器にご飯を盛り、中央を軽く窪ませたところに生卵黄を乗せ、その上に豚生姜焼を複数枚並べた上にきざみ長葱、練からしをトッピングし、適時醤油等の調味料を振りかけたことで作られる請求項１に記載の豚生姜焼丼（トン丼）である。これらの発明を提供することにより上記課題を解決する。
【発明の効果】
【０００５】  狂牛病などの家畜由来の感染病が世界規模で発生するに及び、牛丼など単一の食材メニューで営業するファストフード店などは、風評被害などによる大きなダメージを受けることが懸念される。本発明は、肉というと牛肉が主流であった外食産業において、豚肉の旨さを実感してもらいリピーターとなってもらえるような新しい豚肉メニューを提供しようとする発明である。
【発明を実施するための最良の形態】
【０００６】  以下、本発明を実施形態を、図を用いて説明する。【０００７】（イ）ご飯２を丼などの容器１に盛る。
（ロ）ご飯２の中央部を軽く窪ませ、そこに生卵黄３を入れる。
（ハ）豚薄切り肉、醤油、生姜、ニンニク、日本酒等によって炒めた豚肉生姜焼４を、生卵黄３を避けてご飯２の上に放射状に配置する。
（ニ）豚肉生姜焼４の上に、練からし５を少量乗せ、きざみ長葱６を散らす。
（ホ）最後に、豚肉を炒めた時の肉汁又は醤油７を少量垂らす。
【図面の簡単な説明】
【０００８】
【図１】豚生姜焼丼（トン丼）の側断面構成図。
【図１】
2005198627.tif 000003
(57)【要約】      （修正有）【課題】自動車の販売を拡大することができる自動車新車販売システムの提供。【解決手段】自動車メーカーは、販売代理店（デーラー）の下に、特定販売店（サブデーラー）を創設し、新車の機種を限定して特定販売店に提供する自動車新車販売システム。【選択図】図１
2005198481.tif 000002
【特許請求の範囲】
【請求項１】
この自動車新車販売システムは、自動車メーカーは、販売代理店（デーラー）の下に、特定販売店（サブ、デーラー）を創設し、新車の機種を限定し、サブ、デーラー専売車、を提供する。
【請求項２】
この自動車新車販売システムは、自動車メーカーは、特定販売店（サブ、デーラー）専売車を、代理店（デーラー）に卸し、代理店（デーラー）は一般ユーザーには直販せず、特定販売店（サブ、デーラー）に卸し、業者販売のみ、とする。
【発明の詳細な説明】
【技術分野】
【０００１】本発明は、自動車メーカーは、代理店（デーラー）の下に、特定業者（サブ、デーラー）を創設する。
【背景の技術】
【０００２】従来、自動車メーカーは、代理店（メイン、デーラー）を創設しユーザーに直販を前提
【発明の開示】
【発明の効果】
【０００３】このような、システム、にすれば特定販売店（サブ、デーラー）に１機種でも限定車を提供すれば、（サブ、デーラー）は、拡販に意欲が湧き安心して、販売ができる。
【発明を実施するための最良の形態】
【０００４】本発明は、従来の様に、代理店（メイン、デーラー）と競合する事なく（サブ、デーラー）は安心して販売が出来、自動車メーカーにしても拡販になる。
【図面の簡単な説明】
【０００５】
【図１】システムの平面図である。
【符号の説明】
【０００６】  １Ａ  自動車メーカー
２Ｂ  代理店メイン、デーラー
３Ｃ  特定販売店サブ、デーラー
【図１】
2005198481.tif 000003
(57)【要約】【課題】    本発明の課題は、エネルギー普遍の法則が重力場の１：１の比からいきなり原子力の比１：１０３８倍、重力の場で発生すると言う、従来言われているエネルギー普遍の法則が単に四つの力それぞれの中だけと言う概念上の限られた話だけであり、重力の場で核力は発生すると言う自然の現実問題を、重力：弱い力：電磁気力：核力に至るエネルギーを連続的に制御しつつ発生する方法としてその装置を提供しようとすることである。【解決手段】本発明の解決手段の一方は駆動モーター内で発生する発電抵抗の原因である内部発電を外部に取り出し別電源とすることで、内部発電に拠る対抗をなくしかつ無駄に消費していた内部発電を外部に取り出すことによりエネルギー効率を良くしようとするものである。他方発電機内で発生する磁束による内部抵抗であるトルクを固定子をはずし回転させ出力軸回転子とすることにより有効利用し効率を上げるものであり、その上多段とすることにより互いの逆方向の発生するエネルギーを利用し効率を飛躍的に上げるものである。【選択図】    図１
2005198472.tif 000002
【特許請求の範囲】
【請求項１】
四つのゲージ場内のひとつ、閉じた場である重力場内でのエネルギー普遍を、普遍を超える核力にいたる自然のエネルギーを得る方法として、三次元と時間である電磁気力を多段に用いて発生させる方法
【請求項２】
駆動モーター内で発生する発電電流を取り出し電源として利用する方法及び装置
【請求項３】
駆動モーターの駆動電源回路以外に内部発電により発生する電気を取り出す電気回路を具備する駆動モーター
【請求項４】
発電機で発電するに固定子をも重力場から開放し回転させ駆動用モーターとする方法及び装置
【請求項５】
駆動モーター発電機と発電モーター駆動機が多段連動し、互いの逆流し発生する電流をやり取りし駆動電力として印加する方法及び装置及び電気回路
【発明の詳細な説明】
【発明の詳細な説明】
【技術分野】
【０００１】駆動電動モーター及び発電
【背景技術】
【０００２】駆動モーター内で発生する内部発電流は駆動電流の電流方向と逆向きのため利用する方法が無く、せいぜい内部発電抵抗を少なくするために、駆動モーター内で発電により発生する回転子の磁束方向を固定子の磁束方向と３６０度回転する中で打ち消しあう方向に備え、その設定の仕方により力率を上げる方法がとられている。しかしながら駆動モーターの発生する内部発電は生かされていない。一方発電は発電機の発生する電流により内部発生する磁束とトルクを発電機内の回転子と固定子の磁束で３６０度回転する中で打ち消し合うよう設定し発電の効率をあげる方法がとられている。しかしながら発電機の発生するトルクは生かされていない。
【発明が解決しようとする課題】
【０００３】駆動モーターの効率を妨げている内部発電に拠る発電抵抗を無くす事を課題としている。駆動モーター内で発生する発電電流を有効利用することを課題としている。発電機内で効率を妨げている内部トルクを無くし、外部トルクとして有効利用することを課題としている。
【課題を解決する為の手段】
【０００４】本発明は駆動モーター内で発生する内部発電電流を外部に取り出すことにより、発電電流の形成する磁束を無くし発電抵抗をも無くすと言う課題を解決する為の手段とする。他方発電機内で発生する内部磁束による回転抵抗トルクを無くし有効利用すると言う課題は、固定子を重力場から開放し出力軸回転子とすると言う手段によりトルクとして有効利用することが出来る。その上駆動モーターと発電機を連動することにより互いに発生する内部抵抗を逆に電力とトルクとして利用することが可能となった。
【発明を実施するための最良の形態】
【０００５】本発明の実施の形態は直流モーターの固定子に磁極のＮとＳの二極を具備し、磁極の角度を１５０度とし、回転子のコイルが形成する磁極を三極とし、コイルの巻き方向を外側から見て右回転とし、駆動電流電源取り付け位置を固定子磁極の９０度の位置に設定し、内部発電電流取り出し位置を駆動電源取り付け位置より９０度ずらした固定子上の位置に設定した。
【実施例】
【０００６】本発明の実施例は図を用いて説明する。図は直流モーターの断面図であり、駆動電源が固定子の磁極のほぼ中心であり、内部発電電流取り出し口が固定子の磁極の境目付近であり、発電と駆動が９０度ずれている。内部発電電流で同型のモーターが内部発電している駆動モーターと同じように回転した。モーターを多段にし、二段目のモーターの固定子をはずし出力軸回転子とすることに拠り、発電電流と出力軸にトルクとが発生した。
【発明の効果】
【０００７】第一の駆動モーターは発電抵抗が無くなり、振動が少なく回転ムラも少なくなった。二台目も一台目と同じ型にすると一台目の電源で三台目も回転させることが出来た。内部抵抗がなくなり、常温超伝導状態となり、出力軸回転子が磁気浮上しベアリング抵抗が無くなった。
【図面の簡単な説明】
【０００８】
【図１】Ａ固定子  ｂ回転子  ｃ整流子  ｄ駆動電源プラス  ｅ駆動電源マイナス  ｆ発生電源プラス  ｇ発生電源マイナス  Ｎ磁極  Ｓ磁極
【図１】
2005198472.tif 000003
(57)【要約】〔課題〕  作動に関し、経済的、又は構造上、得意とされないカ所で、信頼性のある磁石と金属棒の作動により対応する。〔解決手段〕  実施例１で、図１から、たとえば、ある力の伝達があり▲８▼のはねあげ板をはね上げ、▲９▼の突っきを回転させ、カムの先端が下方の位置から垂直ぐらいまで上方になり、カムの先端部分は、ローラーがついており、又、▲１▼のケースを少し程度上に押し上げるぐらいだから少ない力で動かせる。そして▲１▼のケースが傾き、▲２▼の特性を持った磁石が転り下り、行止まりまで行き、そこで接近する▲３▼の金属棒の先端が上方に持ち上げられ、後端部分が▲４▼のひもを引っぱり、作動が伝えられる。▲５▼のバネ、▲１１▼のゼンマイで、元どおりの位置に磁石は、もどり、金属棒は、自身の重さで、先端を下方にうつす。▲１▼のケースも元あった所にもどる。一見、めんどうな構造に見えるが、この構造だと、小さな力から大きな力まで的確に対応出来る。又金属棒は、それぞれ分離するか、支点以後で磁力が届かないものにしておくと良い。〔選択図〕図１【特許請求の範囲】
【請求項１】
円盤状、又は周囲が角ばっても良い磁石の周囲に、すき間を持たせ吸着する金属でふち取りし、片面を吸着する金属でおおい、吸着する金属に、ある程度の期間、吸着しておく。その結果、磁石に磁力の方向、極性の変化、むらが生じる磁石、又同様な効果のある磁石。そのような磁石面に垂直（多少違っても良い）に接近することにより、吸着する棒状の金属で空洞のものは、中心より反発され、外周部に引っぱられる。空洞でない普通のものは、外周部より反発され、中心部に引っぱられる（稀に反対のこともおこる性質の磁石も考えられる。）合力により（単独でも可）又棒であるので、てこの原理により強力になり、産業上、十分耐えうる作動装置
【発明の詳細な説明】
【発明の詳細な説明】
【００１】〔発明の属する技術分野〕
この発明は、スイッチの作動、ドアの施錠、宇宙空間での操作など産業上の作動装置に関し、広く使用されるものである。
【０００２】〔従来の技術〕
従来の作動装置では、電気的に大体のことが出来るが、金額的なものもあり、大がかりになり、ありとあらゆるものに利用することは、出来ず、最小限度程度ぐらいに、おさえられている。又構造上使用不可能な場合もある。
【０００３】〔発明が解決しようとする課題〕
したがって、常に折り曲って作動することに直接対応作動することは不得意であったり、設計がむずかしかったりした。衝撃力に対応作動することにも不得意であった。
【０００４】〔発明の実施の形態〕
〔実施例１〕
図１で、力の大、小は問わず、衝撃力でもなんでもよい。それで▲８▼のはね上げ板が上方に上がる。逆回転で空回りする▲９▼の突っきを回転させ、軸をかいし、下方に位置していた▲７▼カムの先端を上向の垂直ぐらいまでになるようにする。これは一定間隔しか回転せず、空回りし、▲１１▼の形状記憶ぜんまいで、自動的にカムの先端が下方にもどる構造になっている。それで▲１▼のケースが上にもっていかれ、中の▲２▼の磁石が転がり下って右下の行止りまでゆく。すると頭を下げていた▲３▼の金属棒が磁石の吸引力により頭（先端部分）を上げ▲１２▼の支点をかいし、後端部分が下にさがり、▲４▼のひもを引っぱり、スイッチ接点、ドアの施錠など表示変更など色々な動作をする。そして▲５▼の形状記憶ばねで▲１▼のケースは元の位置、磁石も元の位置にもどってゆく。
そして、図２のように、金属棒は、自身の頭の重さで下方に垂れ下がり、後端部分は、元の上方の位置にもどる。
【０００５】〔発明の効果〕
力の大小、衝撃にもむりなく、反応出来ますし、設定を変えることにより、ある範囲の力の作用だけに反応させることが簡単にできるようになった。又磁石と金属棒の接近と言うことでは、宇宙空間での作業のスイッチなど多方面の利用が考えられるようになりました。
【図面の簡単な説明】
【０００６】〔図１〕
本発明の実施例の斜視図
〔図２〕
本発明の実施例の金属棒の動き
【符号の説明】
【０００７】▲１▼ケース  ▲２▼磁石  ▲３▼金属棒  ▲４▼ひも  ▲５▼形状記憶バネ  ▲６▼磁気を遮断するテープか金属  ▲７▼カムの先端部  ▲８▼はね上げ板  ▲９▼突っき  ▲１０▼支点  ▲１１▼形状記憶ゼンマイ  ▲１２▼支点
【図１】
2005198475.tif 000002
【図２】
2005198475.tif 000003
(57)【要約】【課題】本発明は、モールド樹脂中に窒化アルミニウム、窒化ホウ素、窒化ケイ素、酸化アルミニウム、酸化ケイ素、フェライト及び窒化アルミニウム超微粒子（ナノパウダー）の１種又は複数種又は全種を混入することにより、耐絶縁性及び放熱性を向上させることを目的とする。【解決手段】本発明によるモータステータ構造は、輪状固定子鉄心(1)に設けた固定子巻線(2)を、窒化アルミニウム、窒化ホウ素、窒化ケイ素、酸化アルミニウム、酸化ケイ素、フェライト及び窒化アルミニウム超微粒子（ナノパウダー）の１種又は複数種又は全種を混合した樹脂でモールド樹脂(5)を形成することにより、耐絶縁性及び放熱性を向上させるようにした構成である。【選択図】図１
2005198466.tif 000002
【特許請求の範囲】
【請求項１】
スロットを有するか又は有しない輪状固定子鉄心(1)に固定子巻線を有し、前記輪状固定子鉄心(1)に設けられた前記固定子巻線(2)をモールド樹脂(5)で覆うようにしたモータステータ構造において、
前記モールド樹脂(5)中には、少なくとも窒化アルミニウム、窒化ホウ素、窒化ケイ素、酸化アルミニウム、酸化ケイ素、フェライトの１種又は複数種又は全種が混合されていることを特徴とするモータステータ構造。
【請求項２】
前記モールド樹脂(5)中には、窒化アルミニウム超微粒子が混合されていることを特徴とする請求項１記載のモータステータ構造。
【発明の詳細な説明】
【技術分野】
【０００１】
本発明は、モータステータ構造に関し、特に、ステータ巻線をモールドするためのモールド樹脂内に窒化アルミニウム、窒化ホウ素、窒化ケイ素、酸化アルミニウム、酸化ケイ素、フェライト及び窒化アルミニウム超微粒子（ナノパウダー）の１種又は複数種又は全種を混合することにより、耐絶縁性及び放熱性を向上されるための新規な改良に関する。
【背景技術】
【０００２】
従来、用いられていたこの種のモータ鉄心構造としては、図２及び図３で示される構成（非特許文献１参照）がある。
すなわち、図２及び図３において符号１で示されるものは、固定子巻線２を有する輪状固定子鉄心であり、この輪状固定子鉄心１の各磁極１ａの内側には、永久磁石３を有する回転子鉄心４が回転自在に配設されている。
【０００３】
前記固定子巻線２を覆うために設けられたモールド樹脂５は、前記固定子巻線２全体を覆うと共に、その外周５ａは輪状固定子鉄心１の外周１ｂとほぼ一致している。
前記固定子巻線２は、Ｕ相、Ｖ相、Ｗ相の三相構成よりなり、各相に駆動信号を印加することにより、三相駆動によって回転子鉄心４を回転駆動することができる。
【０００４】
【非特許文献１】安川電機技報、１９９２年２月      １１４〜１１９頁、「高性能ＡＣサーボモータΣシリーズ」
【発明の開示】
【発明が解決しようとする課題】
【０００５】
従来のモータ鉄心構造は、以上のように構成されていたため、次のような課題が存在していた。
すなわち、輪状固定子鉄心及び固定子巻線をモールド樹脂によって形成しているが、このモールド樹脂の熱伝導性すなわち放熱性が悪く（銅の１／１００以下）、モータとしてのパワーアップには限度があった。
また、このモールド樹脂の中に金属粉やカーボン類の熱伝導性物質を混合することも考えられるが、この熱伝導性物質は同時に良電導性でもあるため、逆に、固定子巻線の電気絶縁性を十分に保つことは困難であった。
【課題を解決するための手段】
【０００６】
本発明によるモータステータ構造は、スロットを有するか又は有しない輪状固定子鉄心に固定子巻線を有し、前記輪状固定子鉄心に設けられた前記固定子巻線をモールド樹脂で覆うようにしたモータステータ構造において、前記モールド樹脂中には、少なくとも窒化アルミニウム、窒化ホウ素、窒化ケイ素、酸化アルミニウム、酸化ケイ素、フェライトの１種又は複数種又は全種が混合されている構成であり、また、前記モールド樹脂中には、窒化アルミニウム超微粒子が混合されている構成である。
【発明の効果】
【０００７】
本発明によるモータステータ構造は、以上のように構成されているため、次のような効果を得ることができる。
すなわち、モールド樹脂の中に、優れた熱伝導性をもち、かつ、良好な電気絶縁性を有する窒化アルミニウム、窒化ホウ素、窒化ケイ素、酸化アルミニウム、酸化ケイ素、フェライト及び窒化アルミニウム超微粒子（ナノパウダー）の１種又は複数種又は全種を混合させているため、モータの損失による熱を外部に十分に放熱することができ、発熱を抑えて高出力を発生させることができる。
【発明を実施するための最良の形態】
【０００８】
本発明は、モールド樹脂の中に、窒化アルミニウム、窒化ホウ素、窒化ケイ素、酸化アルミニウム、酸化ケイ素、フェライト及び窒化アルミニウム超微粒子（ナノパウダー）の１種又は複数種又は全種を混入しているため、放熱性にすぐれた、かつ、電気絶縁性の高いモータステータ構造を得ることを目的とする。
【実施例】
【０００９】
以下、図面と共に本発明によるモータステータ構造の好適な実施の形態について説明する。
尚、従来例と同一又は同等部分には同一符号を付して説明する。
図１において符号１で示されるものは、固定子巻線２をスロット１ａに有する輪状固定子鉄心であり、この輪状固定子鉄心１と固定子巻線２によって固定子１０が構成されている。
【００１０】
前記固定子１０は、前蓋１１を一体に有するモータケース１２の内面に固定され、この固定子１０の固定子巻線２と輪状固定子鉄心１とはモールド樹脂５で一体に固定されている。
【００１１】
前記モールド樹脂５内には、優れた熱伝導性を有し、かつ、良好な電気絶縁性を有する工業用の窒化アルミニウム、窒化ホウ素、窒化ケイ素、酸化アルミニウム、酸化ケイ素、フェライト及び窒化アルミニウム超微粒子（ナノパウダー）の１種又は複数種又は全種が混合されているため、固定子巻線２の発熱を極めて効率的に放熱し、モータ自体の温度上昇を抑えることができる。
【００１２】
前記モータケース１２には、後蓋１３が取付けられ、この前蓋１１と後蓋１３に設けられた各軸受１４、１５には、回転子鉄心４を有する回転軸１６が回転自在に設けられている。
尚、前述の形態においては、スロット１ａを有する輪状固定子鉄心１について述べたが、スロット１ａを有しないスロットレスの輪状固定子鉄心１についても同様の作用効果を得ることができる。
【産業上の利用可能性】
【００１３】
本発明は、モータ用としてだけではなく、発熱性回路等のヒートシンクとしても適用可である。
【図面の簡単な説明】
【００１４】
【図１】本発明のモータステータ構造を示す断面図である。
【図２】従来のモータステータ構造を示す半断面図である。
【図３】図２の縦断面図である。
【符号の説明】
【００１５】
１    輪状固定子鉄心
２    固定子巻線
５    モールド樹脂
１０    固定子
１２    モータケース
１６    回転軸
【図１】
2005198466.tif 000003
【図２】
2005198466.tif 000004
【図３】
2005198466.tif 000005
(57)【要約】【課題】本発明は、回生時の直流電圧が所定のしきい値以上となった場合には、電流リミッタの電流リミット値を変えて回生異常の発生を防止することを目的とする。【解決手段】本発明によるブラシレスモータの制御方法は、回生時の直流電圧が所定のしきい値以上の時は、回生異常回避アルゴリズム部(10)で演算し、電流リミット値(Im)を変えて回生異常の発生を避ける方法である。【選択図】図１
2005198442.tif 000002
【特許請求の範囲】
【請求項１】
速度制御系(1)と電流制御系(4)との間に電流リミッタを設け、前記電流リミッタ(30)による電流制限によりモータ(2)の速度制御を行うようにしたブラシレスモータの制御方法において、
前記モータ(2)の回生時、直流電源電圧が予め設定されたしきい値を超えた場合、回生異常回避アルゴリズム部(10)で、回生動作時に発生するモータ発生電力自体を制限するために、前記電流リミッタ(30)の電流リミット値(Im)を可変的に変更することを特徴とするブラシレスモータの制御方法。
【請求項２】
前記回生異常回避アルゴリズム部(10)では、演算式Ｉｍ＝Ｖｐｎ２／Ｒ・Ｋｔ・ωｍで電流リミット値を演算することを特徴とする請求項１記載のブラシレスモータの制御方法。
但し、Ｉｍ：電流リミット値
Ｖｐｎ：直流電圧
Ｒ    ：回生抵抗値
Ｋｔ  ：トルク定数
ωｍ  ：モータ回転速度
【発明の詳細な説明】
【技術分野】
【０００１】
本発明は、ブラシレスモータの制御方法に関し、特に、回生時、回生時電源電圧が異常となる前に、演算によって電流リミッタの電流リミット値を変え、モータ駆動電流の制限値を変更し、回生異常を回避するための新規な改良に関する。
【背景技術】
【０００２】
従来、用いられていたブラシレスモータにおいては、一般に、モータの回生時には、回生電力がモータの発生している電力によって生じ、モータ電流値すなわち電流指令Ｉｍ、トルク定数Ｋｔ、モータ回転速度ωｍに比例していた。
この場合、モータ発生電力はＷ１＝Ｉｍ・Ｋｔ・ωｍ、回生抵抗での電力消費は、電源の直流電圧Ｖｐｎ、回生抵抗値Ｒにて規定される。
また、回生抵抗処理電力は、Ｗ２＝Ｖｐｎ・Ｖｐｎ／Ｒであり、モータ発生電力Ｗ１が回生抵抗処理電力Ｗ２を超えた場合、電源電圧が上昇し、回生異常（電源電圧異常）を生じる。
【０００３】
従来、用いられていた回生時のモータ制御としては、図３に示されるように、電源の直流電圧が、例えば、しきい値１以上の場合で、かつ、しきい値が２以上の場合、回生異常でモータの回生動作を停止させていた。
また、特許文献１には、モータ電流のトルク無効成分電流を回生動作中に加減し、回生電力を電機子銅損として消費することにより、回生動作中の直流電圧の上昇を防止していた。
【０００４】
【特許文献１】特開平５−１３７３７７号公報
【発明の開示】
【発明が解決しようとする課題】
【０００５】
従来のブラシレスモータの制御方法は、以上のように構成されていたため、次のような課題が存在していた。
すなわち、回生抵抗での電力消費が間に合わないほど、多大の回生エネルギーが入ってきた場合にはアラーム発生となり、回生停止となるが、モータはフリーラン状態となり、停止するまでの惰走距離が延びることになっていた。
また、回生電力を電機子銅損として消費する場合にも限度があり、大きい回生電力の処理は困難であった。
【課題を解決するための手段】
【０００６】
本発明によるブラシレスモータの制御方法は、速度制御系と電流制御系との間に電流リミッタを設け、前記電流リミッタによる電流制限によりモータの速度制御を行うようにしたブラシレスモータの制御方法において、前記モータの回生時、直流電源電圧が予め設定されたしきい値を超えた場合、回生異常回避アルゴリズム部で、回生動作時に発生するモータ発生電力自体を制限するために、前記電流リミッタの電流リミット値を可変的に変更する方法であり、また、前記回生異常回避アルゴリズム部では、演算式Ｉｍ＝Ｖｐｎ２／Ｒ・Ｋｔ・ωｍで電流リミット値を演算する方法である。
【発明の効果】
【０００７】
本発明によるブラシレスモータの制御方法は、以上のように構成されているため、次のような効果を得ることができる。
すなわち、回生時、電源の直流電圧が所定のしきい値を超えた場合、回生異常回避アルゴリズム部で演算を行い、減速時の電流リミット値を変更してモータ駆動電流の制限値を変更し、電源電圧異常すなわち回生異常とならないようにしているため、常に安定した回生動作を得ることができる。
【発明を実施するための最良の形態】
【０００８】
本発明は、回生時、電源の直流電圧が所定のしきい値以上の場合、回生異常回避アルゴリズム部にて、減速時の電流リミッタの電流リミット値を変更し、回生異常が起きないようにすることを目的とする。
【実施例】
【０００９】
以下、図面と共に本発明によるブラシレスモータの制御方法の好適な実施の形態について説明する。
図１において符号１で示されるものはモータ２の速度を制御するための速度制御系であり、この速度制御系１からの電流指令Ｉｃｏｍは、電流リミッタ３０及び電流制御系４を経てモータ２に供給されるように構成されている。
【００１０】
前記速度制御系１の前段には、モータ２からの帰還値２ａを帰還制御するための減算器５が設けられていると共に、前記電流リミッタ３０には回生異常回避アルゴリズム部１０が接続されている。
尚、この回生異常回避アルゴリズム部１０は、実際にはパソコン内に内蔵又はハードウェアとして構成される。
【００１１】
前記回生異常回避アルゴリズム部１０のフローチャートは、図２で示されるように構成されており、回生時に第１ステップ２０で電流の直流電源電圧である直流電圧を検出し、予め設定された、例えば、しきい値１以下の場合には、電流リミッタ３０の電流リミット値が有効として最大値となり、電流指令Ｉｍが電流制御系４に供給される。
【００１２】
また、例えば、しきい値１以上で回生異常の場合には、回生異常回避アルゴリズム部１０の演算が開始され、数１の(１）式を用いて、電流リミット値Ｉｍの演算が行われる。
【００１３】
【数１】
2005198442.tif 000003
【００１４】
従って、前述の(１)式の演算によって得られた最適の電流リミット値Ｉｍに基づいて電流リミッタ３０が可変制御され、モータ駆動電流の制限値を変更し、回生異常を回避することができる。
【産業上の利用可能性】
【００１５】
本発明は、通常の機械装置の小型モータに限らず、電車等の回生制御にも適用可である。
【図面の簡単な説明】
【００１６】
【図１】本発明によるブラシレスモータの制御方法を示すブロック図である。
【図２】図１の回生異常回避アルゴリズム部を示すフロー図である。
【図３】従来方法を示すフロー図である。
【符号の説明】
【００１７】
１    速度制御系
Ｉｃｏｍ    電流指令
Ｉｍ    電流リミット値
２    モータ
４    電流制御系
１０    回生異常回避アルゴリズム部
３０    電流リミッタ
【図１】
2005198442.tif 000004
【図２】
2005198442.tif 000005
【図３】
2005198442.tif 000006
(57)【要約】【課題】相手が電話にでるまでは無機質なコール音がし退屈なうえ、通話料も高いという欠点をなくすために、無機質なコール音を変え退屈感をなくし、安く通話できること【解決手段】無機質なコール音を変え、退屈感をなくしやすく通話するためには、独自のホームページを設け、コール音中はCMを流すことが最上であることを発明した。【選択図】    図1
2005198002.tif 000002
【特許請求の範囲】
【請求項１】
電話回線[１]や電話の電波[２]が相手につながる間にCMが流れるプログラムを持ったホームページ[３]を設け、相手に電話がつながるまでの時間をCMに変え通話料金値下げプランを設けた、電話による広告。
【発明の詳細な説明】
【技術分野】
【０００１】
この発明は、常にCMを流すホームページを設け、電話をかけたときの相手が電話にでるまでの時間を利用し、CMを流す電話による広告に関するものである。
【背景技術】
【０００２】
従来のホームページの広告は見るものであった。
【発明の開示】
【発明が解決しようとする課題】
【０００３】
従来のホームページは見るものであり、相手が電話にでるまでは無機質なコール音がし退屈なうえ、通話料も高いという欠点をなくすために、無機質なコール音を変え退屈感をなくし、安く通話できることを課題として研究を進めた。
【課題を解決するための手段】
【０００４】
無機質なコール音を変え、退屈感をなくしやすく通話するためには、独自のホームページを設け、コール音中はCMを流すことが最上であることを発明した。
そのため、電話を一度インターネットに接続して、独自のCMを流すホームページを設け、相手に電話がつながるまでの時間をCMに変えるシステムと料金値下げプランを設けた。
【発明の効果】
【０００５】
本発明を使用することによって、電話をかけた時、相手が電話にでるまでの退屈な時間で、ＣＭを聞くことで時間を有効に使え、通話料金も安くなります。
【発明を実施するための最良の形態】
【０００６】
以下、本発明の実施の形態について説明する。
電話回線[１]や電話の電波[２]が相手につながる間にCMが流れるプログラムを持ったホームページ[３]を設け、相手が電話にでるまでのコール音をCMに変える。
本発明は以上のような構成であるから、電話をかけたときCMが流れるホームページへつながり無機質なコール音が変わり、料金も値下げすることができます。
【図面の簡単な説明】
【０００７】
【図１】通信の流れ図である。
【符号の説明】
【０００８】
１  電話回線
２  携帯電話等の電波
３  CMを流すホームページ
４  電話をかける側
５  電話を受ける側
【図１】
2005198002.tif 000003
(57)【要約】【課題】従来の携帯電話等に用いられている携帯ストラップは、図２の従来のストラップ本体の形状は、ただ単純に、人形や玉飾りなどが付いているだけで、特にその機能に関しては、あまり考えられてはいない。そこで飾りやマスコット、キーホルダー等を、引き出したり巻き取ったりできる遊び心を提供する。【解決手段】携帯電話のストラップ本体に引き出し巻き取り可能の巻尺本体５を設ける、巻尺本体５の一端についている取り付け紐を７携帯電話１に付けて、巻尺本体５の他端に、引き出し巻き取り可能な紐状物３を設け、紐状物３の先端に飾りやマスコット４を設け引き出し巻き取り可能とする。【選択図】図１
2005198746.tif 000002
【特許請求の範囲】
【請求項１】
本体の一端に取り付け紐、他端に紐状物を、引き出し巻取り収納可能に設けたことを特徴とする携帯ストラップ。
【請求項２】
前記他端の紐状物の先にマスコットや飾りやキーホルダーなどを設け引き出したり巻き取ったりできることを特徴とする請求項１記載の携帯ストラップ。                                        
【発明の詳細な説明】
【技術分野】
【０００１】
この発明は、携帯電話等に取り付ける携帯ストラップの、形状に関する。
【背景技術】
【０００２】
従来の携帯ストラップ等の形状は、図２に示すように、ストラップの本体６を、人形や玉飾りとし、その一端に取り付け紐７と、他端に手さげ紐８を設けたものが一般的である。
【発明の開示】
【発明が解決しようとする課題】
【０００３】
しかしながら、以上の技術によれば、本体６が単純に、人形や玉飾り等としているだけで特にストラップの機能に関しては、あまり考えられていない。  そこで、この発明は、飾りやマスコットやキーホルダーなどを引き出したり巻き取ったりできる、遊び心を提供することを課題とする。
【課題を解決するための手段】
【０００４】
以上の課題を解決するために、第一発明は、本体に引き出し巻き取り収納可能な紐状物を設けた携帯ストラップである。  また、第二発明は、本体の紐状物の先に飾りやマスコットやキーホルダーなどを設け引き出したり巻き取ったりできる携帯ストラップである。
【発明の効果】
【０００５】
第一発明や第二発明によれば、本体の紐状物の先に設けた飾りやマスコットやキーホルダーなどを、引き出したり巻き取ったりする事により、猫や犬、または赤ん坊等と遊べる。
【発明を実施するための最良の形態】
【０００６】
この発明の一実施形態を、図１に示す。  携帯電話などに用いる携帯ストラップで本体５の一端には、取り付け紐７が付いており、取り付け紐７は、一般的に用いられる頑丈な紐で、携帯電話に取り付けることができる、本体５は巻尺式なっており、本体５に共用に設けた、スイッチ２を押すことでスプリングなどの力により他端の紐状物３を、巻き取ることができる、紐状物３は頑丈な紐、または、ワイヤー等が用いられ紐状物３の先には、飾りやマスコット４が設けられる、この例では飾りとして鈴をつけた毛むくじゃらの猫じゃらしを用いた。
【０００７】
この実施形態によれば、本体５の働きで飾りやマスコット４が、伸びたり縮んだりする。したがって、猫や犬とたわむれ、心に遊び、余裕、癒しなどの効果をもたらしてくれる。
【０００８】
「他の実施形態」
図１の実施形態では、飾り４は、毛むくじゃらの猫じゃらしが用いられているが、他の実施形態では、飾りやマスコット、キーホルダーなどであれば、特に指定はない。
【図面の簡単な説明】
【０００９】
【図１】この発明の一実施形態を示す斜視図である。
【図２】従来技術を示す斜視図である。
【符号の説明】
【００１０】
１  携帯電話  ２  スイッチ  ３  紐状物  ４  飾りやマスコット  ５  巻尺本体  ６  従来ストラップの本体  ７  取り付け紐  ８  手さげ紐
【図１】
2005198746.tif 000003
【図２】
2005198746.tif 000004